(57)【特許請求の範囲】
【請求項１】
一対の竪枠と、各竪枠の上端部を連結する上枠と、各竪枠の下端部を連結する下枠とを有する建具枠が、２つの空間を仕切る仕切壁の開口部に嵌まり込んだ状態で固定され、この建具枠には、扉が予め定める開閉方向に開閉自在に保持される建具構造において、
一方の竪枠には、他方の竪枠に対向する基部と、この基部の各空間のいずれか一方寄りの見込み方向一端部に外側方へ屈曲して連なり、一方の竪枠の前記一方の空間に臨む一表面上に配置される取付部と、前記基部の他方の空間寄りの見込み方向他端部に連なり、前記一方の空間に臨んで開口する凹状の係合部とが形成される下地部材が固定され、
下地部材には、前記取付部に一方の空間側から当接して支持される支持片と、前記係合部に一方の空間側から嵌まり込んで係止される係止突起とが形成されるとともに、排水ホースを挿入して保持することができるホース保持具が設けられる竪枠補助部材が装着され、
竪枠補助部材の支持片は、前記下地部材の取付部にねじ部材によって着脱可能に連結されることを特徴とする建具構造。
【発明の詳細な説明】
【０００１】
【発明の属する技術分野】
本発明は、開き戸、片引き戸および引違い戸などの各種の扉、ならびに開き窓、片引き窓および引違い窓などの各種の窓として実現される建具に好適に実施することができる建具構造に関する。
【０００２】
【従来の技術】
集合住宅などの建物において、一方の空間である浴室と、他方の空間である脱衣室とは、仕切壁によって仕切られ、この仕切壁には、浴室および脱衣室間を出入りするために開口部が形成され、この開口部には、建具が嵌まり込んだ状態で建込まれている。この建具は、開口部に嵌まり込んだ状態で固定される建具枠と、この建具枠によって予め定める開閉方向に開閉自在に保持される扉とを有する。前記建具枠は、一対の竪枠と、各竪枠の上端部を連結する上枠と、各竪枠の下端部を連結する下枠とを有する。
【０００３】
既設の集合住宅などは、改装工事の際に、各部屋の内装が新装されるとともに、浴室では浴槽が新たなものに交換され、脱衣室では洗濯機を設置するための防水パンが敷設される場合がある。この防水パンには、居住者が洗濯機を載置して洗濯することが可能であるが、建物の構造様式が古い場合などには、前記脱衣室に洗濯排水を排出するための排水管などの洗濯排水用設備が設けられていないため、洗濯機の排水ホースを浴室扉を開いて浴室内に導き、洗い場の排水溝などを介して排水している。
【０００４】
浴室内に導かれた洗濯機の排水ホースは、通行時に足などの接触によって排水口が浴室から離脱し、あるいは排水ホース自体の曲がり癖などによって、先端部の排水口を浴室内に挿入した状態に設置しても、不所望に脱衣室側に変位してしまうため、洗濯排水が脱衣室の床に流れ出して床を濡らしてしまうという不具合が生じる。
【０００５】
このような問題を防止するために従来では、一方の竪枠の内面に上枠および下枠間にわたって延びる薄板状の竪枠補助部材を並設して直接固定し、この竪枠補助部材の下端部寄りにゴム製のグロメットが嵌め込まれる。このグロメットは、円環状の外枠部に十字に切欠いて分断されたシート状の蓋部を有し、この蓋部は、排水ホースが挿入されない状態では、前記外枠部の内側を塞いだ状態とされ、排水ホースを蓋部に挿入することによって、前記蓋部の各分断部分が押開かれて、排水ホースの先端部を浴室内に突き出した状態で保持することができるように構成されている。
【０００６】
上記のように一方の竪枠に沿って竪枠補助部材が建込まれると、間口幅が小さくなるため、竪枠補助部材の間口方向の幅に相当する長さだけ扉の幅を短くして、その扉を、開き戸においては、竪枠補助部材にヒンジによって鉛直軸線まわりに角変位自在に取付け、引き戸においては、竪枠補助部材と他方の竪枠との間を上枠および下枠に沿って移動自在に取付けて、浴室および脱衣室間の通路を確保するとともに、排水ホースを前記グロメットに挿入し、上記足などの接触および曲がり癖などによって、排水ホースが脱衣室側へ変位して抜け出してしまうことを防止している。
【０００７】
【発明が解決しようとする課題】
このような従来の技術では、再び浴槽を交換する必要が生じた場合には、前記竪枠補助部材と他方の竪枠との間口方向の幅が、元の各竪枠間の幅よりも狭くなっているため、浴槽を竪枠補助部材および他方の竪枠間を通過させることができず、前記一方の竪枠に固定されている竪枠補助部材を、その一方の竪枠から取り外して浴槽を交換した後、再び竪枠補助部材を前記一方の竪枠に固定しなければならず、浴槽の交換作業に多くの手間と労力とを要し、改装工事における施工性が悪いという問題がある。
【０００８】
このような問題は、開き戸、片引き戸および引違い戸などの構造上の相違によらず、また浴室扉に限るものではなく、冷房装置の屋内ユニットのドレン管をベランダおよび庭などの屋外に導いて排水するための各種の扉および各種の窓に対しても、同様に生じる。
【０００９】
さらに上記のように広い間口が確保できないと、浴槽の交換時の出入れだけではなく、高齢者および身体障害者の車椅子による浴室への出入りに対しても支障を生じ、高齢者および身体障害者が車椅子に乗ったままで浴室および脱衣室間を移動することができず、極めて利便性が悪いという問題がある。
【００１０】
本発明の目的は、簡単な構成で、排水ホースを確実に保持し、かつ間口幅の広い開口を形成することができる建具構造を提供することである。
【００１１】
【課題を解決するための手段】
請求項１記載の本発明は、一対の竪枠と、各竪枠の上端部を連結する上枠と、各竪枠の下端部を連結する下枠とを有する建具枠が、２つの空間を仕切る仕切壁の開口部に嵌まり込んだ状態で固定され、この建具枠には、扉が予め定める開閉方向に開閉自在に保持される建具構造において、
一方の竪枠には、他方の竪枠に対向する基部と、この基部の各空間のいずれか一方寄りの見込み方向一端部に外側方へ屈曲して連なり、一方の竪枠の前記一方の空間に臨む一表面上に配置される取付部と、前記基部の他方の空間寄りの見込み方向他端部に連なり、前記一方の空間に臨んで開口する凹状の係合部とが形成される下地部材が固定され、
下地部材には、前記取付部に一方の空間側から当接して支持される支持片と、前記係合部に一方の空間側から嵌まり込んで係止される係止突起とが形成されるとともに、排水ホースを挿入して保持することができるホース保持具が設けられる竪枠補助部材が装着され、
竪枠補助部材の支持片は、前記下地部材の取付部にねじ部材によって着脱可能に連結されることを特徴とする建具構造である。
【００１２】
本発明に従えば、建具は、開口部に固定される建具枠と、この建具枠に保持される扉とから成る。建具枠は、一対の竪枠の各上端部が上枠によって連結され、各竪枠の下端部が下枠によって連結された構成を有する。このような建具は、予め定める開閉方向、すなわち開き戸および開き窓であれば、鉛直軸線まわりの角変位方向、片引き戸および片引き窓ならびに引違い戸および引違い窓であれば、各竪枠間で上枠および下枠に沿う左右方向に移動自在に保持される各種の形態の扉および窓として実現される。
【００１３】
一方の竪枠には、下地部材が固定され、この下地部材には、竪枠補助部材が装着される。前記下地部材は、他方の竪枠に対向する基部と、この基部の各空間のいずれか一方寄りの見込み方向一端部に外側方へ屈曲して連なり、一方の竪枠の前記一方の空間に臨む一表面上に配置される取付部と、前記基部の他方の空間寄りの見込み方向他端部に連なり、前記一方の空間に臨んで開口する凹状の係合部とを有する。また前記竪枠補助部材は、下地部材の取付部に一方の空間側から当接して支持される支持片と、前記係合部に一方の空間側から嵌まり込んで係止される係止突起とを有し、排水ホースを挿入して保持することができるホース保持具が設けられる。
【００１４】
このように下地部材と竪枠補助部材とが構成されるので、竪枠補助部材の係止突起を、下地部材の係合部に一方の空間側から嵌まり込んで係止し、下地部材の取付部に、竪枠補助部材の支持片を一方の空間側から当接させて支持し、支持片を取付部にねじ部材によって着脱可能に接合することによって、既存の建具枠の一方の竪枠に竪枠補助部材を容易に取付けることができる。また浴槽の交換および車椅子の通過のために広い間口幅で開口させる必要が生じたときには、前記ねじ部材を緩め、または取り外すことによって、竪枠補助部材が下地部材に固定された状態が解除され、竪枠補助部材を前記一方の空間側へ引き抜くことよって、容易に竪枠補助部材を取り外すことができる。
【００１５】
このようにして竪枠補助部材を容易に取り付け、また広い開口が必要なときには容易に取り外すことができるので、この状態では、前記一方の竪枠には下地部材が固定されたままであるが、基部から開口内へ突出するのは係合部だけであり、この係合部による間口幅の減少は僅かであり、実際上、浴槽の出し入れおよび車椅子の通過に支障が生じるおそれはなく、簡単な構成で、排水ホースをホース保持具によって確実に保持することができるとともに、間口幅の広い開口を形成することができる。
【００１６】
【発明の実施の形態】
図１は、本発明の実施の一形態の建具構造を示す水平断面図であり、図２は図１の切断面線ＩＩ−ＩＩから見た下部付近の鉛直断面図である。なお、本発明の実施の各形態では、図１の左右方向を間口方向とし、上下方向を見込み方向とする（以下同じ）。本実施の形態の建具１は、建具枠６と、扉１３とを含む。建具枠６は、一対の竪枠２，３と、各竪枠２，３の上端部を連結する上枠４と、各竪枠２，３の下端部を支持する沓ずり５とを有し、２つの空間である浴室７および脱衣室８を仕切る仕切壁９の開口部１０に嵌まり込んだ状態で固定される。前記扉１３は、建具枠６の一方の竪枠２にヒンジ１１によって鉛直な回転軸線１２まわりに予め定める開閉方向である開放方向Ａ１および閉鎖方向Ａ２に角変位自在に連結され、建具枠６に開閉自在に保持される。これらの建具枠６および扉１３は、片開き戸を構成する。
【００１７】
一方の竪枠２は、見込み方向に平行でかつ上下方向（図１の紙面に垂直な方向）に長手の内壁部８１と、内壁部８１の見込み方向の浴室７側の端部から外側方（図１の左方）に直角に屈曲して連なる浴室側の壁部８２と、内壁部８１の見込み方向の脱衣室８側の端部から外側方に直角に屈曲して連なる脱衣室側の壁部８３と、浴室側の壁部８２の外側方の端部から脱衣室８側に直角に屈曲して連なる屈曲部８４と、浴室側の壁部８１の脱衣室８側の裏面から垂直に突出して一体的に形成されるリブ８５とを有する。
【００１８】
また他方の竪枠３は、上記一方の竪枠２と同様な構成を有し、開口部１０に取付られた状態では、各竪枠間の間口方向中央部を通る鉛直仮想一平面に関して左右対称に設けられ、対応する部分には同一の参照符を付す。
【００１９】
このような各竪枠２，３は、開口部１０にねじ８６によって固定される断面がＬ字状の各位置決め部材８７に、浴室７側から前記脱衣室側の壁部８３が当接して、見込み方向に位置決めされ、この状態で、内壁部８１に挿通されたねじ９０によって開口部１０の間口方向両側部に固定される。
【００２０】
図３は、下地部材１８および竪枠補助部材２３の一部の分解斜視図である。上記の建具１において、前記一方の竪枠２には、他方の竪枠３に間口方向に対向する基部１４と、この基部１４の一方の空間である浴室７寄りの見込み方向一端部に外側方へ屈曲して連なり、一方の竪枠２の前記浴室７に臨む一表面１５上に配置される取付部１６と、前記基部１４の他方の空間である脱衣室８寄りの見込み方向他端部に連なり、前記浴室７に臨んで開口する凹状の係合部１７とを有する下地部材１８が固定される。
【００２１】
この下地部材１８の基部１４には、固定ねじ３９の軸部が挿通する複数の挿通孔４０が下地部材１８の長手方向に間隔をあけて形成され、この挿通孔４０に固定ねじ３９の軸部を挿入して、前記一方の竪枠２に螺着することによって、下地部材１８が、前記一方の竪枠２を介して、開口部１０に固定される。
【００２２】
竪枠補助部材２３は、前記取付部１６に浴室７側から当接して支持される支持片１９と、前記係合部１７に浴室７側から嵌まり込んで係止される係止突起２０と、他方の竪枠３側に突出する戸当たり突部４１と、戸当たり突部４１に嵌着される戸当たりパッキン４２とを有する。竪枠補助部材２３の下端部近傍には、排水ホース２１（後述の図４参照）を挿入して保持することができるホース保持具２２が設けられる。この竪枠補助部材２３の支持片１９は、前記取付部１６にボルト２４およびナット２５によって着脱可能に連結される。前記ボルト２４およびナット２５は、ねじ部材をそれぞれ構成する。
【００２３】
前記竪枠補助部材２３は、浴室７側に配置される正面壁部２６と、脱衣室８側に前記正面壁部２６と平行に配置される背面壁部２７と、正面壁部２６および背面壁部２７の各間口方向両端部に直角に連なる２つの側壁部２８，２９とによって、四角筒状の基部３０を構成する。前記支持片１９は、前記基部３０の一方の側壁部２８と正面壁部２６との交差部３１から浴室７側に突出する第１部分３２と、第１部分３２の遊端部から一側方に直角に屈曲して連なる第２部分３３と、第２部分３３の遊端部から脱衣室８側に直角に屈曲して連なる第３部分３４とを有する。
【００２４】
前記係止突起２０は、一方の側壁部２８と背面壁部２７との交差部４３から前記背面壁部２７に対して直角に突出して一体的に形成される。また前記戸当たり突部４１は、他方の側壁部２９と背面壁部２７との交差部４４から前記他方の側壁部２９に対して直角に突出して一体的に形成される板状部４５と、この板状部の遊端部に連なり、浴室７側に開口する略凹状の嵌合部４６とを有する。嵌合部４６には、前記戸当たりパッキン４２が嵌着される。この戸当たりパッキン４２は、扉１３を閉じた状態で、一方の竪框４７に弾発的に当接して、水密性を達成し、浴室７から脱衣室８への水の漏出を防止している。上記の各竪枠２，３、上枠４、下地部材１８および竪枠補助部材２３は、アルミニウム合金から成る押出形材によって実現される。
【００２５】
竪枠補助部材２３の下端部は、図２に示されるように、端板９３によって塞がれ、端板９３には前記沓ずり５の上面に弾発的に当接するパッキン９４が竪枠補助部材２３の間口方向全長にわたって設けられ、止水されている。各竪枠２，３は、相互に近接する方向に突出する戸当たり片９５，９６が設けられ、各戸当たり片９５，９６にはパッキン９７，９８が設けられる。各パッキン９７，９８は、扉１３が閉じられたとき、各竪框４７，４８に脱衣室８側から弾発的に当接して、止水している。
【００２６】
図４は、排水ホース２１およびホース保持具２２を脱衣室８側から見た斜視図である。前記排水ホース２１は、その基端部が図示しない洗濯機の本体に設けられ、可撓性および弾発性を有する軟質合成樹脂から成る蛇腹状の長尺のホース本体５１と、ホース本体５１の遊端部に接続される円管状の排出管５２と、排出管５２の外周部から一半径線方向に突出し、排出管５２の軸線を含む一仮想平面上でホース本体５１側に屈曲した略Ｌ字状のフック片５３とを有する。
【００２７】
前記ホース保持具２２は、浴室側ウイング部６１と、浴室側ウイング部６１に挿通され、水平な仮想一平面に対して浴室７から脱衣室８に向かって上方に傾斜し、前記排出管５２およびフック片５３を挿脱自在に挿入することができる筒部６２と、筒部６２が挿通して一体的に形成される脱衣室側ウイング部６４と、浴室側ウイング部６４にピン６５によって水平な軸線まわりに角変位自在に設けられるカバー体６６とを有する。
【００２８】
筒部６２は、前記排水ホース２１の排出管５２が遊通することができ、軸直角断面が上方に開口した略Ｃ字状の排出管挿入部６７と、前記フック片５３が遊通することができ、排出管挿入部６７の周方向両端部に連なり、軸直角断面が下方に開口した大略的に逆凹状のフック片挿入部６８とを有する。このようなホース保持具２２は、ポリ塩化ビニルなどの硬質合成樹脂から成る。
【００２９】
再び図１を参照して、前記ヒンジ１１は、一対のヒンジ片７１，７２と、各ヒンジ片７１，７２が回動自在に連結されるヒンジピン７３とを有する。一方のヒンジ片７１は、竪枠補助部材２３の他方の竪枠３側に配置される他方の側壁部２９に図示しないビスなどによって固定される。また他方のヒンジ片７２は、扉１３の前記一方の竪框４７に図示しないビスなどによって固定される。
【００３０】
扉１３は、前記一方の竪框４７と、この一方の竪框４７に水平方向に間隔をあけて平行に配置される他方の竪框４８と、各竪框４７，４８の下端部を連結する下框４９と、各竪框４７，４８の上端部を連結する上框５０と、これらの竪框４７，４８、下框４９および上框５０に保持されるガラス５４とを有する。各竪框４７，４８、下框４９および上框５０は、アルミニウム合金から成る押出形材によって実現される。
【００３１】
このように構成される下地部材１８および竪枠補助部材２３によって扉１３が建具枠６に開閉自在に保持するための構造として、竪枠補助部材２３の係止突起２０が、下地部材１８の係合部１７に一方の空間である浴室７側から嵌まり込んで係止され、下地部材１８の取付部１６に、竪枠補助部材２３の支持片１９を前記浴室７側から当接させて支持し、支持片１９を取付部１６にボルト２４およびナット２５によって着脱可能に接合することができるように構成されるので、既存の建具枠６を用いて、容易に扉１３を取付けることができる。
【００３２】
また浴槽の交換および車椅子の通過のために広い間口幅で開口させる必要が生じたときには、前記ボルト２４を緩めるか、または取り外すことによって、竪枠補助部材２３が下地部材１８に固定された状態が解除される。したがって竪枠補助部材２３を扉１３とともに、または扉１３をヒンジ１１から取外した後に、浴室７側へ引き抜くことよって、容易に竪枠補助部材２３を取り外し、竪枠補助部材２３が一方の竪枠２に装着された状態における間口方向の有効開口幅Ｂ１に対して、取り外し後の間口方向の有効開口幅Ｂ２を大きくすることができる。一例として述べると、竪枠補助部材２３の装着状態における有効開口幅Ｂ１は、約６００ｍｍであり、取り外し後の有効開口幅Ｂ２は、約７００ｍｍとすることができる。
【００３３】
また、上記のようにして竪枠補助部材２３を、既設の建具枠６に容易に取り付け、あるいは広い開口が必要なときには容易に取り外すことができるのに対して、前記一方の竪枠２には下地部材１８が固定されたままであるが、基部１４から開口内へ突出するのは係合部１７だけであり、この係合部１７による間口幅の減少は僅かであり、実際上、浴槽の出し入れおよび車椅子の通過に支障が生じるおそれはなく、簡単な構成で、排水ホース２１をホース保持具２２によって確実に保持し、かつ必要に応じて間口を広く開放することができる。
【００３４】
図５は、本発明の実施の他の形態の建具構造を示す水平断面図である。なお、前述の実施の形態と対応する部分には、同一の参照符を付す。前述の図１〜図４に示される実施の形態では、一方の竪枠２に下地部材１８と竪枠補助部材２３とを取付け、竪枠補助部材２３に扉１３をヒンジ１１によって、鉛直な回転軸線１２まわりに角変位して開閉自在に保持するように構成される建具構造について述べたが、本実施の形態では、一方の竪枠２に下地部材１８および竪枠補助部材２３が固定される点は同様であるが、前記扉１３はヒンジ１１によって他方の竪枠３に取付けられ、鉛直な回転軸線まわりに角変位自在に連結されて、保持されている。このような構成においてもまた、上述の実施の形態と同様に、排水ホース２１を保持し、かつ必要に応じて竪枠補助部材２３を前記一方の竪枠２から取り外し、広い開口幅を得ることができる。
【００３５】
図６は、本発明の実施のさらに他の形態の建具構造を示す水平断面図である。なお、前述の実施の各形態と対応する部分には、同一の参照符を付す。上述の図１〜図５に示される実施の各形態では、片開き戸について述べたが、本実施の形態では、一方の竪枠２に下地部材１８および竪枠補助部材２３が連結され、２枚の扉１３ａ，１３ｂを間口方向に沿って矢符Ｃ１，Ｃ２方向に移動させて開閉自在に保持する引き戸として実現される。このような構成においても、図１〜図５の実施の各形態と同様な効果を達成することができる。
【００３６】
図７は、本発明の実施のさらに他の形態の建具構造を示す水平断面図である。なお、前述の実施の各形態と対応する部分には、同一の参照符を付す。図６に示される実施の形態では、下地部材１８および竪枠補助部材２３は、一方の竪枠２に取付られたが、本実施の形態では、前記下地部材１８および竪枠補助部材２３が他方の竪枠３に取付けられるとともに、竪枠補助部材２３の前記一方の竪枠２に対向する一方の側壁部２９には、前記戸当たり突部４１および戸当たりパッキン４２は設けられず、断面が略Ｌ字状の戸当たり部材９１が竪枠補助部材２３から見込み方向における脱衣室８側に突出して固定される。
【００３７】
前記戸当たり部材９１は、本実施の形態では２枚の扉１３ａ，１３ｂが同時に当接することができる見込み方向の幅を有するが、本実施のさらに他の形態では、扉１３の建込み枚数に応じて適宜選択すればよい。このような戸当たり部材９１を用いることによって、竪枠補助部材２３の構成を大きく変更せずに、前記戸当たり突部４１だけが設けない構造とすればよく、構成を複雑化せずに扉１３の枚数に対処することができる。
【００３８】
本発明は、上述した開き戸、片引き戸および引違い戸などの各種の扉だけでなく、開き窓、片引き窓および引違い窓などの各種の窓に対しても好適に実施することができる。
【００３９】
【発明の効果】
請求項１記載の本発明によれば、竪枠補助部材の係止突起を、下地部材の係合部に一方の空間側から嵌まり込んで係止し、下地部材の取付部に、竪枠補助部材の支持片を一方の空間側から当接させて支持し、支持片を取付部にねじ部材によって着脱可能に接合することによって、既存の建具枠の一方の竪枠に竪枠補助部材を容易に取付けることができる。また浴槽の交換および車椅子の通過のために広い間口幅で開口させる必要が生じたときには、前記ねじ部材を緩め、または取り外すことによって、竪枠補助部材が下地部材に固定された状態が解除され、竪枠補助部材を前記一方の空間側へ引き抜くことよって、容易に竪枠補助部材を取り外すことができるので、一方の竪枠には下地部材が固定されたままであるが、基部から開口内へ突出するのは係合部だけであり、この係合部による間口幅の減少は僅かであり、実際上、浴槽の出し入れおよび車椅子の通過に支障が生じるおそれはなく、簡単な構成で、排水ホースをホース保持具によって確実に保持することができるとともに、間口幅の広い開口を形成することができる。
【図面の簡単な説明】
【図１】本発明の実施の一形態の建具構造を示す水平断面図である。
【図２】図１の切断面線ＩＩ−ＩＩから見た鉛直断面図である。
【図３】下地部材１８および竪枠補助部材２３の一部の分解斜視図である。
【図４】ホース保持具２２への排水ホース２１の挿入手順を示す斜視図である。
【図５】本発明の実施の他の形態の建具構造を示す水平断面図である。
【図６】本発明の実施のさらに他の形態の建具構造を示す水平断面図である。
【図７】本発明の実施のさらに他の形態の建具構造を示す水平断面図である。
【符号の説明】
１  建具
２，３  竪枠
４  上枠
５  下枠
６  建具枠
７  浴室
８  脱衣室
９  仕切壁
１０  開口部
１２  回転軸線
１３  扉
１４  基部
１６  取付部
１７  係合部
１８  下地部材
１９  支持片
２０  係止突起
２１  排水ホース
２２  ホース保持具
２４  ボルト
２５  ナット
【図１】
0004451541.tif 000002
【図２】
0004451541.tif 000003
【図３】
0004451541.tif 000004
【図４】
0004451541.tif 000005
【図５】
0004451541.tif 000006
【図６】
0004451541.tif 000007
【図７】
0004451541.tif 000008